(57)【要約】【課題】レジスタの釣銭として出金する紙幣や硬貨が紙幣回収庫及び硬貨回収庫に収納される割合を低く抑え、釣銭用の紙幣や硬貨のリサイクル効率を高める。【解決手段】レジスタから回収してきた現金を入金処理する際、売上金額を超えない範囲で紙幣回収庫１５に１万円紙幣と２千円紙幣のみ収納し、レジスタの釣銭として出金する５千円紙幣、千円紙幣及びすべての硬貨は釣銭用紙幣収納庫１４及び釣銭用硬貨収納庫２４に金種別に収納して、締上げ処理時にそれまで紙幣回収庫１５に収納された紙幣の合計額が売上金の合計額より少ない場合、その差額の紙幣および硬貨を釣銭用紙幣収納庫１４及び釣銭用硬貨収納庫２４から繰出して紙幣回収庫１５及び硬貨回収庫２５に収納させる。【選択図】図１
2008287554.tif 000002
【特許請求の範囲】
【請求項１】
小売店の店舗に設置されたレジスタに収納するための釣銭用の紙幣及び硬貨を釣銭用紙幣収納庫や釣銭用硬貨収納庫から繰出して出金する出金機能、レジスタから回収した紙幣及び硬貨のうち釣銭として出金した金額を差し引いた額を売上金額として紙幣回収庫や硬貨回収庫及び釣銭用紙幣収納庫や釣銭用硬貨収納庫に収納する入金機能、入金及び出金の金額や金種毎の入出金枚数等を記憶部に記憶して管理し、営業終了時等にこれらを集計する締上げ処理機能を少なくとも有する現金処理装置において、
入金処理の際、釣銭として出金しない特定金種の紙幣を紙幣回収庫に収納し、レジスタの釣銭として出金する金種の紙幣及びすべての金種の硬貨を釣銭用紙幣収納庫及び釣銭用硬貨収納庫に金種別に収納すると共に、前記入金処理がレジスタから回収してきた紙幣及び硬貨を入金処理の場合は前記記憶部に売上金の累計を記憶し、
締上げ処理時にそれまで紙幣回収庫に収納された紙幣の合計額が売上金の累計による合計額より少ない場合、その差額の紙幣及び硬貨を釣銭用紙幣収納庫及び釣銭用硬貨収納庫から繰出して紙幣回収庫及び硬貨回収庫に収納させることを特徴とする現金処理装置。
【請求項２】
請求項１記載の現金処理装置において
レジスタから回収してきた紙幣及び硬貨を入金処理する際、入金処理する金額のうち釣銭として出金した金額を差し引いた売上金額を超えない範囲で釣銭として出金しない特定金種の紙幣を紙幣回収庫に収納することを特徴とする現金処理装置。
【発明の詳細な説明】
【技術分野】
【０００１】
本発明は、小売店等に設置されるレジスタで釣銭として使用される紙幣及び硬貨の出金処理や、レジスタから回収した紙幣及び硬貨の入金処理、及び締上げ処理を行う現金処理装置に関するものである。
【背景技術】
【０００２】
従来のこの種の現金処理装置として、小売店の店舗に設置されたレジスタに収納するための釣銭用の紙幣及び硬貨を釣銭用紙幣収納庫や釣銭用硬貨収納庫から繰出して出金する出金機能、レジスタから回収した紙幣及び硬貨を受入れて紙幣回収庫や硬貨回収庫、及び釣銭用紙幣収納庫や釣銭用硬貨収納庫に収納する入金機能、入金された紙幣及び硬貨を入金金種と異なる金種の紙幣及び硬貨に換金して出金する両替機能、入金及び出金の金額や金種毎の入出金枚数等を記憶して管理し、営業終了時等にこれらを集計してその集計結果を表示部に表示すると共に、伝票に記録して放出する締上げ処理機能を有する装置が提案されており、この装置は、例えばレジスタから回収した紙幣や硬貨を入金する場合、レジスタから発行されるレシートに印字された売上金額をレジ担当者が入力して紙幣や硬貨を投入することにより、投入紙幣や硬貨のうち売上分の紙幣や硬貨は紙幣回収庫や硬貨回収庫に収納すると共に、残りは予め釣銭準備金として出金した釣銭分の現金として釣銭用紙幣収納庫や釣銭用硬貨収納庫に収納することで、レジスタから回収した紙幣や硬貨を再度つり銭としての出金に利用できるようにしたリサイクル機能を持たせて現金の効率的な運用を可能にしている（例えば、特許文献１参照）。
【特許文献１】特開２００６−１３９６５４号公報
【発明の開示】
【発明が解決しようとする課題】
【０００３】
ところで、この種の現金処理装置では、レジスタから回収した紙幣や硬貨を入金する場合、売上金に相当する分の紙幣及び硬貨について高額の金種の紙幣及び硬貨から優先的に収納するようにしている。
例えば、紙幣の場合、釣銭として使用しない特定の金種の紙幣、すなわち１万円紙幣と２千円紙幣を優先的に紙幣回収庫に収納し、１万円紙幣及び２千円紙幣がなくなると、次に５千円紙幣を紙幣回収庫に収納し、そして５千円紙幣がなくなると、次に千円紙幣を紙幣回収庫に収納して、売上金の紙幣をすべて紙幣回収庫に収納した後、釣銭分の紙幣を釣銭用紙幣収納庫に金種別に収納するものとなっている。
【０００４】
硬貨についても、売上金の分を高額の金種のものから硬貨回収庫に収納し、その後、釣銭の分の硬貨を金種別に銭用硬貨収納庫に収納するようにしている。
しかしながらこのような振分け方で入金を行うと、レジスタから回収した紙幣のうち、釣銭として用いられる五千円紙幣が売上金として現金回収庫に収納されたり、釣銭とし使用しない１万円紙幣や２千円紙幣は釣銭分として処理されることになる。
【０００５】
例えば、あるレジスタから回収した紙幣の内訳が「１万円紙幣８枚、５千円紙幣１枚、千円紙幣５枚（計９万円）」の「計９万円」で、このレジに対して釣銭準備金として予め「３万５千円」分の紙幣が出金されていた場合、売上金は５万５千円となるので、前記回収した紙幣が投入されると、そのうちの１万円紙幣５枚と５千円紙幣１枚が売上金として紙幣回収庫に収納され、残りの１万円紙幣３枚と千円紙幣５枚が釣銭分となる。
【０００６】
この場合、釣銭分の１万円紙幣３枚は釣銭として使用できない金種の紙幣であるので、千円紙幣５枚のみを釣銭用現金収納庫に収納し、１万円紙幣３枚は紙幣リジェクト庫に収納するが、このリジェクト収納庫及び紙幣回収庫には繰出し手段が備えられていないため、例えば紙幣回収庫に収納された５千円紙幣が、２枚、４枚等、１万円に換金できる枚数になったとしても、リジェクト収納庫の１万円紙幣を紙幣回収庫へ移し、代わりに紙幣回収庫の５千円を紙幣収納庫に移すという紙幣の移動は行うことができず、紙幣回収庫に収納された五千円等の紙幣は売上金として回収されてしまうために釣銭のリサイクル効率が低下するという問題がある。
【０００７】
また、硬貨はすべての金種がレジスタの釣銭として出金できるにもかかわらず、売上金として硬貨回収庫に収納されると、やはり釣銭用硬貨収納庫に移動できないため、釣銭のリサイクル効率が低下するという問題がある。
本発明は、このような問題を解決することを課題とする。
【課題を解決するための手段】
【０００８】
そのため、本発明は、小売店の店舗に設置されたレジスタに収納するための釣銭用の紙幣及び硬貨を釣銭用紙幣収納庫や釣銭用硬貨収納庫から繰出して出金する出金機能、レジスタから回収した紙幣及び硬貨のうち釣銭として出金した金額を差し引いた額を売上金額として紙幣回収庫や硬貨回収庫及び釣銭用紙幣収納庫や釣銭用硬貨収納庫に収納する入金機能、入金及び出金の金額や金種毎の入出金枚数等を記憶部に記憶して管理し、営業終了時等にこれらを集計する締上げ処理機能を少なくとも有する現金処理装置において、入金処理の際、釣銭として出金しない特定金種の紙幣を紙幣回収庫に収納し、レジスタの釣銭として出金する金種の紙幣及びすべての金種の硬貨を釣銭用紙幣収納庫及び釣銭用硬貨収納庫に金種別に収納すると共に、前記入金処理がレジスタから回収してきた紙幣及び硬貨を入金処理の場合は前記記憶部に売上金の累計を記憶し、締上げ処理時にそれまで紙幣回収庫に収納された紙幣の合計額が売上金の累計による合計額より少ない場合、その差額の紙幣及び硬貨を釣銭用紙幣収納庫及び釣銭用硬貨収納庫から繰出して紙幣回収庫及び硬貨回収庫に収納させることを特徴とする。
【発明の効果】
【０００９】
このようにした本発明は、現金を入金処理する際、レジスタの釣銭として出金しない特定金種の１万円紙幣と２千円紙幣のみ紙幣回収庫に収納し、レジスタの釣銭として出金する５千円紙幣、千円紙幣及びすべての硬貨は釣銭用紙幣収納庫及び釣銭用硬貨収納庫に金種別に収納して、締上げ処理時にそれまで紙幣回収庫に収納された１万円紙幣と２千円紙幣の合計額が売上金の合計額より少ない場合、その差額の紙幣および硬貨を釣銭用紙幣収納庫及び釣銭用硬貨収納庫から繰出して紙幣回収庫及び硬貨回収庫に収納させるため、レジスタの釣銭として出金する金種の紙幣や硬貨が紙幣回収庫及び硬貨回収庫に収納される割合を低く抑えることができ、レジスタの釣銭として出金する金種の紙幣や硬貨のリサイクル効率を高くすることができるという効果が得られる。
【発明を実施するための最良の形態】
【００１０】
以下、図面を参照して本発明による現金処理装置の実施例を説明する。
【実施例】
【００１１】
図１は実施例の構成を示すブロック図である。
本実施例の現金処理装置は、レジスタを使用する小売店等に設置されるもので、図において１は紙幣（現金）の入出金処理を行う紙幣処理機、２は硬貨（現金）の入出金処理を行う硬貨処理機であり、この両処理機については後で詳しく説明する。
３はＬＣＤ等による表示部で、各種の処理操作の案内、現金処理のための入力画面や入力された情報、及び金種別の入出金金額や入出金の合計金額等を表示する。
【００１２】
４はレジスタの現金を入出金処理を行うレジ担当者や締上げ処理を行う店長（管理者）等が操作するキーボードあるいは表示部３上に配置されたタッチパネル等の操作部で、入金処理や出金処理、締上げ処理等を行うことを指示（入力）するためのキーや金額等を入力するためのテンキー等を備えている。
５はカードリーダ（カード読取部）で、当該現金処理装置の利用者であるレジ担当者や店長等が使用するＩＤカードの情報を読取る機能を有している。
【００１３】
レジ担当者用のＩＤカードには、レジ番号などのレジスタを特定する情報も記録されている。このレジ担当者用のＩＤカードは、レジスタ毎またはレジ担当者毎に用意され、レジ担当者毎に配布する場合、レジ担当者が複数のレジスタを操作するのであれば、使用するレジスタ毎にＩＤカードが与えられる。
６は伝票記録部（プリンタ）で、紙幣処理機１や硬貨処理機２で行われた入金処理や出金処理の金額、締上げ処理の金額、金種別枚数等を伝票に記録（印字）して出力するものである。
【００１４】
７は記憶部で、この記憶部７には後述する主制御部が実行する制御プログラムが格納されている他、後述する入金・出金処理履歴等が記憶され、入金処理及び出金処理毎に処理結果が追加、更新されるものとなっている。
８は記憶部７に格納された制御プログラムに基づいて現金処理装置全体の制御を行う主制御部で、紙幣処理機１及び硬貨処理機２で入出金処理が行われる毎にこの主制御部８により記憶部７の入金・出金処理履歴が更新されるものとなっており、更に主制御部８は必要に応じて各種の演算を行う演算部としても機能する。
【００１５】
次に紙幣処理機１及び硬貨処理機２について説明する。
紙幣処理機１は、入金処理時にレジスタから回収した紙幣を一括して受け入れると共に出金処理時に釣銭としての紙幣を排出する紙幣入出金口１１と、この紙幣入出金口１１に受け入れた紙幣を１枚ずつ分離する図示しない分離部と、紙幣の金種等を鑑別すると共に鑑別した紙幣を金種毎に計数する紙幣鑑別部１２と、この紙幣鑑別部１２で鑑別計数された紙幣を集積して一時保留する一時保留部１３と、レジスタ用の釣銭準備金として使用する金種（例えば、五千円、千円）の紙幣を金種別に収納する複数の釣銭用紙幣収納庫（釣銭用現金収納庫）１４と、入金紙幣のうちの売上金を金種別に収納する複数の紙幣回収庫（現金回収庫）１５と、紙幣リジェクト庫１６と、これらの間で紙幣を搬送ベルト等で挟持して搬送する搬送路と、図示しない記憶部に格納された制御プログラムに基づいて紙幣処理機１全体の動作制御を行う制御部１７を備えている。
【００１６】
一方、硬貨処理機２は、レジスタから回収した硬貨を一括して受け入れる硬貨入金口２１と、この硬貨入金口２１に受け入れた硬貨を１枚ずつ分離する図示しない分離部と、硬貨の金種等を鑑別すると共に鑑別した硬貨を金種毎に計数する硬貨鑑別部２２と、この硬貨鑑別部２２で鑑別計数された硬貨を一時保留する一時保留部２３と、レジスタ用の釣銭として使用する硬貨を金種別に収納する釣銭用硬貨収納庫（釣銭用現金収納庫）２４と、入金硬貨のうちの売上金を金種別に収納する硬貨回収庫（現金回収庫）２５と、釣銭用の硬貨を出金するための硬貨出金箱２６と、硬貨リジェクト口２７と、図示しない記憶部に格納された制御プログラムに基づいて硬貨処理機２全体の動作制御を行う制御部２８を有している。
【００１７】
ここで一時保留部２３、釣銭用硬貨収納庫２４、硬貨回収庫２５、及び硬貨出金箱２６は金種毎に分けて硬貨を集積、収納できるように内部が区切られている。
また、硬貨入金口２１と硬貨鑑別部２２との間には分離部により分離された硬貨を搬送する搬送ベルト等による搬送路が設けられ、釣銭用硬貨収納庫２４と硬貨回収庫２５及び硬貨出金箱２６との間には、釣銭用硬貨収納庫２４から排出される硬貨を硬貨回収庫２５と硬貨出金箱２６のいずれかに導く振分け手段と、通過する硬貨を金種毎に計数する計数手段が設けられている。
【００１８】
また、前記各釣銭用硬貨収納庫２４に対しては、収納する硬貨の金種毎に保管基準額が設定されており、その保管基準額を保つために入金処理された硬貨を収納するようになっている。
この釣銭用硬貨収納庫２４にも硬貨を搬送路に繰出す繰出し手段が設けられている。
硬貨回収庫２５は複数用意され、必要に応じて交換されるものとなっている。
【００１９】
尚、紙幣処理機１の制御部１７及び硬貨処理機２の制御部２８は主制御部８の指示により紙幣処理機１及び硬貨処理機２を制御するものとなっている。
図２は前記記憶部７の記憶される入金・出金処理履歴の内容例を示す図である。
この入金・出金処理履歴は、図示したように通番、レジＮｏ．（レジ番号）、カードＮｏ．（カード番号）、利用者ＩＤ、処理日時、区分、金額、金種、締上げ日時、突合せにより構成されており、通番のエリアには処理毎に付与される通し番号が書込まれ、カードＮｏ．のエリアにはレジ担当者のＩＤカードから読取ったカードの番号が書込まれる。このカードＮｏ．はカードを特定するための情報である。
【００２０】
レジＮｏ．のエリアにはレジ担当者のＩＤカードから読取ったレジスタの番号が書込まれる。このレジＮｏ．はレジスタ毎に集計する際に利用されるもので、同一レジスタに対する出金処理と入金処理とを関連付ける関連付け情報として用いられる。
また、利用者ＩＤのエリアにはレジ担当者のＩＤカードから読取ったＩＤ番号等が書込まれ、処理日時のエリアには入金または出金処理を行ったときの日付及び時刻が書込まれる。
【００２１】
区分のエリアには処理が入金であるか出金があるかを示す情報が書込まれ、金額のエリアには入金または出金処理の処理金額が書込まれる。
また、万、五千・・・一等の金種エリアには処理した金種毎の枚数がそれぞれ書込まれ、更に締上げ日時のエリアには締上げを行ったときの日時が書込まれる。この締上げ日時は、締上げ処理されたか否かを示す情報で、これが書込まれたものについては締上げ処理対象から除外される。
【００２２】
突合せのエリアには、入金処理の際に行われる突合せ処理により検索した出金処理に対して、入金処理が行われたことを示す「済」の情報が書込まれる。すなわち、入金処理の際に同一のレジＮｏ．及びカードＮｏ．の出金処理を検索して、その出金処理に対応する入金処理が行われたことを示す突合せ情報を突合せのエリアに記入する処理が突合せ処理として行われる。
【００２３】
また記憶部７には、この入金・出金処理履歴の他、釣銭用紙幣収納庫１４や釣銭用硬貨収納庫２４、及び紙幣回収庫１５や硬貨回収庫２５に収納されている紙幣や硬貨の枚数を金種毎に記憶更新する収納枚数カウンタ、売上金を累計して合計金額を記憶更新する売上金額カウンタ等が格納されている。
上述した構成の作用について説明する。
【００２４】
尚、以下に説明において、主制御部８や制御部１７、２８による制御の説明については、必要な説明を除いて省略する。
まず、レジ担当者がレジスタで釣銭として用いる現金を出金させる場合の出金処理について説明する。
図３はその出金処理の手順を示すフローチャートで、図中のＳはステップを示し、以下このステップに従って説明する。
【００２５】
レジ担当者が自分のＩＤカードを現金処理装置に設けられているカード挿入排出口に挿入すると、カードリーダ５がＩＤカードから利用者の区分、レジＮｏ．を読取る（Ｓ１）。
また、レジ担当者はカード挿入後、操作部４を操作して自分の個人ＩＤ（利用者ＩＤ）、パスワードを入力する（Ｓ２）。
【００２６】
主制御部８はレジ担当者が入力した個人ＩＤ、パスワードを予め記憶部７等に登録されている個人ＩＤ、パスワードと照合し、正当性が確認された場合、ＩＤカードから読取った利用者区分に基づき、レジ担当者が操作可能な「出金」、「入金」を選択するメニュー画面を表示部３に表示し（Ｓ３）、レジ担当者に選択させる。
ここでレジ担当者が操作部４を操作して「出金」を選択すると、主制御部８は「出金」の選択を受付け（Ｓ４）、表示部３に出金金額入力画面を表示する。
【００２７】
この画面を見てレジ担当者が操作部４を操作して、出金金額（紙幣及び硬貨の金種毎の枚数）を入力すると、主制御部８はその入力金額を受付けて（Ｓ５）、その出金金額と硬貨処理機２の釣銭用硬貨収納庫２４及び紙幣処理機１の釣銭用紙幣収納庫１４内の現金を比較し、出金の可否を判断する（Ｓ６）。
釣銭用硬貨収納庫２４及び釣銭用紙幣収納庫１４内の現金の不足により出金不可と判断した場合、その旨のメッセージ画面を表示部３に表示して終了する。
【００２８】
出金可能な場合は、硬貨処理機２の釣銭用硬貨収納庫２４及び紙幣処理機１の釣銭用紙幣収納庫１４から該当金種の紙幣及び硬貨が繰出され、紙幣鑑別部１２及び硬貨鑑別部２２で鑑別、計数された後、紙幣入出金口１１は硬貨出金箱２６に集積あるいは放出集積されてレジ担当に出金される（Ｓ７）。
出金が終了すると主制御部８は今回の出金処理結果として通番、レジＮｏ．、利用者ＩＤ、処理日時、区分、出金金額、金種別枚数等を記憶部７の入金・出金処理履歴に書込んで更新すると共に、釣銭用紙幣収納庫１４や釣銭用硬貨収納庫２４から出金した枚数を金種毎に収納枚数カウンタの値から減算し（Ｓ８）、更に伝票記録部６で処理結果を伝票に記録してレジ担当者に発行する（Ｓ９）。
【００２９】
尚、入金・出金処理履歴等の更新は伝票発行後に行うようにしてもよい。
次に、レジ担当者がレジスタから回収した現金を入金させる場合の入金処理について説明する。
図４はその入金処理の手順を示すフローチャートで、図中のＳはステップを示し、以下このステップに従って説明する。
【００３０】
レジ担当者が自分のＩＤカードを現金処理装置に設けられているカード挿入排出口に挿入すると、カードリーダ５がＩＤカードから利用者の区分、レジＮｏ．を読取る（Ｓ１１）。
また、レジ担当者はカード挿入後、操作部４を操作して自分の個人ＩＤ（利用者ＩＤ）、パスワードを入力する（Ｓ１２）。
【００３１】
主制御部８はレジ担当者が入力した個人ＩＤ、パスワードを予め記憶部７等に登録されている個人ＩＤ、パスワードと照合し、正当性が確認された場合、ＩＤカードから読取った利用者区分に基づき、レジ担当者が操作可能な「出金」、「入金」を選択するメニュー画面を表示部３に表示し（Ｓ１３）、レジ担当者に選択させる。
ここでレジ担当者が操作部４を操作して「入金」を選択すると、主制御部８は「入金」の選択を受付ける（Ｓ１４）。
【００３２】
そして、紙幣処理機１及び硬貨処理機２は主制御部８の指示により紙幣入出金口１１及び硬貨入金口２１に設けられているシャッタをそれぞれ開放して、レジ担当者がレジスタから回収してきた現金である硬貨及び紙幣を受入れ、硬貨鑑別部１２及び紙幣鑑別部２２で鑑別、計数して紙幣一時保留部１３及び硬貨一時保留部２３に一時保留する（Ｓ１５）。
【００３３】
受入れたすべての紙幣及び硬貨を計数して一時保留すると、主制御部８は金種毎の枚数及び金額、全金種の合計額を計数結果として表示部３に表示し、レジ担当者に金額を確認させて収納の可否（ＯＫ／ＮＧ）を入力させる（Ｓ１６）。
ここで、収納不可（ＮＧ）が入力された場合、一時保留した紙幣は紙幣入出金口１１に戻され、硬貨は硬貨リジェクト口２７に送られてから、それぞれレジ担当者に返却され（Ｓ１７）、処理終了となる。
【００３４】
一方、収納可（ＯＫ）が入力された場合、主制御部８は前記計数による合計額から記憶部７に記憶されている入金・出金処理履歴の前記レジＮｏ．に該当する前回の出金金額を差し引いて今回の売上金額を求め、一時保留した紙幣のうちの１万円紙幣と２千円紙幣のみを前記売上金額を超えない範囲で紙幣回収庫１５に収納すると共に、他の金種の紙幣つまり５千円紙幣及び千円紙幣は金種別に釣銭用紙幣収納庫１４に収納し、また一時保留した硬貨についてはすべて金種別に釣銭用硬貨収納庫２４に収納する（Ｓ１９）。
【００３５】
尚、計数された１万円紙幣と２千円紙幣の合計額が売上金額を超えている場合、その超えている分については紙幣リジェクト庫１６に収納する。
このようにして紙幣及び硬貨の収納が終了すると、主制御部８は今回の処理結果として通番、レジＮｏ．、カードＮｏ．、利用者ＩＤ、区分、入金金額、金種別枚数等を記憶部７の入金・出金処理履歴に書込んで更新すると共に、釣銭用紙幣収納庫１４及び紙幣回収庫１５に収納した紙幣枚数を金種毎に収納枚数カウンタの値に加算し、更に前記売上金金額を売上金カウンタの値に加算して累計する（Ｓ２０）。
【００３６】
その後、伝票記録部６で入金処理結果を伝票に記録してレジ担当者に発行する（Ｓ２１）。
尚、入金・出金処理履歴等の更新は伝票発行後に行うようにしてもよい。
また、上記の例では、入金金額と入金・出金処理履歴におけるレジＮｏ．に該当する前回の出金金額により基づいて主制御部８が売上金の金額を算出するものとしたが、レジ担当者がレジスタから現金を回収する際、レジスタが売上金の金額と釣銭の金額を計算して伝票印字出力するので、その売上金の金額をレジ担当者に入力されるようにしてもよい。
【００３７】
次に、管理者による締上げ処理について説明する。
図５は締上げ処理の手順を示すフローチャートで、図中のＳはステップを示し、以下このステップに従って説明する。
管理者が自分のＩＤカードを現金処理装置に設けられているカード挿入排出口に挿入すると、カードリーダ５がＩＤカードから利用者の区分を読取る（Ｓ２１）。
【００３８】
また、管理者はカード挿入後、操作部４を操作して自分の個人ＩＤ（利用者ＩＤ）、パスワードを入力する（Ｓ２２）。
主制御部８は管理者が入力した個人ＩＤ、パスワードを予め記憶部７等に登録されている個人ＩＤ、パスワードを照合し、正当性が確認された場合、ＩＤカードから読取った利用者区分に基づき、管理者が操作可能な「締上げ」、「回収」、「交換」を選択するメニュー画面を表示部３に表示し（Ｓ２３）、管理者に選択させる。
【００３９】
ここで管理者が操作部４を操作して「締上げ」を選択すると、主制御部８は「締上げ」の選択（締上げ要求）を受付け（Ｓ２４）、記憶部７のカウンタテーブルの入金・出金処理履歴を基に前回の締上げ時から現在までの入金額、出金額を集計して、すべてのレジスタの出金合計額、入金合計額、金種別の出金枚数、金種別の入金枚数、レジスタ毎の出金合計額、入金合計額、金種別の出金枚数、金種別の入金枚数等を演算し、その演算結果を表示部３に表示する（Ｓ２５）。
【００４０】
この場合、入金合計額や金種別の入金枚数にはリジェクト紙幣の分も加えられている。
続いて主制御部３は記憶部７に記憶されている売上金額の累計による合計額と、紙幣回収庫１５に収納されている紙幣の合計額を比較して、紙幣回収庫１５に収納されている紙幣の合計額が売上金額の合計額未満か否かを判断する（Ｓ２６）。
その結果、紙幣回収庫１５に収納された紙幣の合計額が売上金額の合計額未満でなければＳ２８の処理に移行するが、紙幣回収庫１５に収納された紙幣の合計額が売上金額の合計額未満の場合は、その差額の金額分の紙幣または硬貨を釣銭用紙幣収納庫１４や釣銭用硬貨収納庫２４から繰出し、紙幣回収庫１５及び硬貨回収庫２５に移動して収納する（Ｓ２７）。
【００４１】
この場合、紙幣回収庫１５や硬貨回収庫２５に収納する紙幣や硬貨は、高額の金種のものから移動させるようにする。
次に主制御部８は記憶部７の入金・出金処理履歴に締上げ処理日時を書込んで更新し、また、釣銭用紙幣収納庫１４や釣銭用硬貨収納庫１４から繰出した紙幣や硬貨の枚数を金種毎に収納枚数カウンタの値から減算すると共に、紙幣回収庫１５に収納した紙幣枚数を金種毎に収納枚数カウンタの値に加算する（Ｓ２８）。
【００４２】
その後、伝票記録部６で締上げの処理結果を伝票に記録して管理者に発行する（Ｓ２９）。
以上説明した実施例によれば、レジスタから回収してきた紙幣及び硬貨を入金処理する際、売上金額を超えない範囲で紙幣回収庫に１万円紙幣と２千円紙幣のみ収納し、レジスタの釣銭として出金する５千円紙幣、千円紙幣及びすべての硬貨は釣銭用紙幣収納庫及び釣銭用硬貨収納庫に金種別に収納して、締上げ処理時にそれまで紙幣回収庫に収納された１万円紙幣と２千円紙幣の合計額が売上金の合計額より少ない場合、その差額の紙幣および硬貨を釣銭用紙幣収納庫及び釣銭用硬貨収納庫から繰出して紙幣回収庫及び硬貨回収庫に収納させるため、レジスタの釣銭として出金する金種の紙幣や硬貨が紙幣回収庫及び硬貨回収庫に収納される割合を低く抑えることができ、レジスタの釣銭として出金する金種の紙幣や硬貨のリサイクル効率を高くすることができるという効果が得られる。
【００４３】
また、前記のように入金処理する際、売上金額を超えない範囲で紙幣回収庫に１万円紙幣と２千円紙幣のみ収納するため、締上げ処理時に釣銭用紙幣収納庫及び釣銭用硬貨収納庫から紙幣回収庫及び硬貨収納庫に移動する紙幣及び効果の枚数が抑えられ、締上げ処理に要する時間が長くなることを抑制することができる利点もある。
尚、上述した実施例では、レジスタから回収してきた紙幣及び硬貨を入金処理する場合について説明したが、両替する場合も入金された紙幣のうち１万円紙幣と２千円紙幣のみ紙幣回収庫に収納し、レジスタの釣銭として出金する５千円紙幣、千円紙幣及びすべての硬貨は釣銭用紙幣収納庫及び釣銭用硬貨収納庫に金種別に収納することで、レジスタの釣銭として出金する金種の紙幣や硬貨のリサイクル効率を高くすることができるという効果が得られる。
【００４４】
また、上述した実施例では、レジＮｏ．をＩＤカードに記録するものとしたが、レジＮｏ．はＩＤカードには記録せず、個人ＩＤと関連付けて記憶するようにしてもよく、画面入力させることも可能である。
【図面の簡単な説明】
【００４５】
【図１】実施例の構成を示すブロック図
【図２】入金・出金処理履歴の例を示す図
【図３】出金処理の手順を示すフローチャート
【図４】入金処理の手順を示すフローチャート
【図５】締上げ処理の手順を示すフローチャート
【符号の説明】
【００４６】
１    紙幣処理機
２    硬貨処理機
３    表示部
４    操作部
５    カードリーダ
６    伝票記録部
７    記憶部
８    主制御部
１１  紙幣入出金口
１２  紙幣鑑別部
１３  紙幣一時保留部
１４  釣銭用紙幣収納庫
１５  紙幣回収庫
１６  紙幣リジェクト庫
１７  制御部
２１  硬貨入金口
２２  硬貨鑑別部
２３  硬貨一時保留部
２４  釣銭用硬貨収納庫
２５  硬貨回収庫
２６  硬貨出金箱
２７  硬貨リジェクト口
２８  制御部
【図１】
2008287554.tif 000003
【図２】
2008287554.tif 000004
【図３】
2008287554.tif 000005
【図４】
2008287554.tif 000006
【図５】
2008287554.tif 000007